(57)【要約】      （修正有）【課題】１つの閉鎖部材もしくは複数の閉鎖部材と、１つの収容部材もしくは複数の収容部材との機械的な結合を、特に簡単且つ良好に再現可能に行うことができるような電気的又は電子的なケーシングを提供する。【解決手段】閉鎖部材４及び収容部材２の間、もしくは閉鎖部材４，５及び収容部材２，３の間、もしくは閉鎖部材４，５，６及び収容部材２，３の間にそれぞれバヨネット式のロック部１３が実現されている電気的又は電子的なケーシング１である。【選択図】図２
2010093267.tif 000002
【特許請求の範囲】
【請求項１】
電気的又は電子的な機器のためのケーシングであって、少なくとも１つの収容部材と、該収容部材を閉鎖する少なくとも１つの閉鎖部材とを備えており、前記収容部材が該収容部材の内室において電気的及び／又は電子的な構成素子、構成部材、構成素子群及び／又は構成部材群を収容する、電気的又は電子的な機器のためのケーシングにおいて、
１つの閉鎖部材（４）及び１つの収容部材（２）の間、もしくは複数の閉鎖部材（４，５）及び１つの収容部材（２）の間、もしくは複数の閉鎖部材（４，５，６）及び複数の収容部材（２，３）の間にそれぞれバヨネット式のロック部（１３）が実現されていることを特徴とする、電気的又は電子的な機器のためのケーシング。
【請求項２】
「特別な」バヨネット式のロック部（１３）、すなわち結合位置において常に同じギャップが形成されている、有利には常にギャップ幅ゼロのギャップが実現されているバヨネット式のロック部（１３）が実現されていることを特徴とする、請求項１記載のケーシング。
【請求項３】
バヨネット式のロック部（１３）は、第１のバヨネット部材（１４）において周にわたって交番的に分配された、差込み方向に対して垂直方向で平面において垂直に延在する底面（１６）と、該底面（１６）に接続する斜面（１７）と、該斜面（１７）の上側の端部に接続している、前記差込み方向に対して垂直方向で延在するヘッド面（１８）とを有していることを特徴とする、請求項１又は２記載のケーシング。
【請求項４】
前記差込み方向に対して垂直方向で延在する、第１のバヨネット部材（１４）に設けられているヘッド面（１８）に対して、第２のバヨネット部材（１５）に前記差込み方向に対して垂直方向で延在する対応面（１９）が配置されていることを特徴とする、請求項３記載のケーシング。
【請求項５】
斜面（１７）及び接続しているヘッド面（１８）の間に係止切欠き（２０）が設けられていることを特徴とする、請求項３又は４記載のケーシング。
【請求項６】
第２のバヨネット部材（１５）に、結合位置において第１のバヨネット部材（１４）の係止切欠き（２０）内に係入している係止ノーズ（２１）が設けられていることを特徴とする、請求項５記載のケーシング。
【請求項７】
係止ノーズ（２１）は係止ばね（２２）により負荷されていることを特徴とする、請求項６記載のケーシング。
【請求項８】
バヨネット式のロック部（１３）の解除は、係止ばね（２２）の力に抗してもたらされる、係止切欠き（２０）からの係止ノーズ（２１）の持上げによってのみ可能であることを特徴とする、請求項７記載のケーシング。
【請求項９】
バヨネット式のロック部（１３）の解除は、請求項８記載のケーシングを備えた機器の使用者には提供されていない特別な工具によってのみ可能であることを特徴とする、請求項６から８までのいずれか一項記載のケーシング。
【請求項１０】
係止ノーズ（２１）及び／又は係止ばね（２２）に対して、少なくとも１つの電気的なコンタクト、常開接点、常閉接点又は切換え接点が配置されていることを特徴とする、請求項６から９までのいずれか一項記載のケーシング。
【請求項１１】
電気的又は電子的な機器であって、少なくとも２つの収容部材と該収容部材を閉鎖する少なくとも１つの閉鎖部材とを備えたケーシングを有しており、前記収容部材は該収容部材の内室において電気的又は電子的な構成素子、構成部材、構成素子群及び／又は構成部材群を収容する、電気的又は電子的な機器において、
モジュール式の構成、すなわち各収容部材（２，３）において独特の機能効果を有する機能ユニットが設けられているモジュール式の構成を特徴とする、電気的又は電子的な機器。
【発明の詳細な説明】
【技術分野】
【０００１】
本発明は、電気的又は電子的な機器のためのケーシングであって、少なくとも１つの収容部材と、該収容部材を閉鎖する少なくとも１つの閉鎖部材とを備えており、前記収容部材は該収容部材の内室に電気的及び／又は電子的な構成素子、構成部材、構成素子群及び／又は構成部材群を収容する、電気的又は電子的な機器のためのケーシングに関する。
【背景技術】
【０００２】
本発明の枠内では「電気的又は電子的な機器」とは全く一般的なものと理解されたい。電気的な機器又は電子的な機器であるかどうかは、往々にして一義的に規定することはできない。この種の機器が（一般的に慣用の）電気的な構成素子、構成部材、構成素子群及び／又は構成部材群だけしか有していない場合、一般的には電気的な機器と呼ばれる。これに対して、電子的な機器が、専ら、殆ど専ら又は主として、電子的な構成素子、構成部材、構成素子群及び／又は構成部材群を有している場合には、一般的に電子的な機器と呼ばれる。電気的な機器と電子的な機器とはよく機能に関しても分けられる。電気的な機器は、機能的にむしろ保守的（ｋｏｎｓｅｒｖａｔｉｖ）であることがよくある。これに対して、機器が機能的に近代的（ｍｏｄｅｒｎ）である場合、特に機器内で広義の意味で半導体テクノロジが使用されている場合には電子的な機器と呼ばれる。
【０００３】
本発明の枠内では、電気的又は電子的な機器は、複数の部材において実現されている機能性を有する機器とも理解されたい。つまり電気的又は電子的な機器では、いわば機能的に互いに補完する２つ又はそれより多い機器が存在している。所望の機能性はつまり個々の機器の協働においてのみ望まれることであり、且つ達成される。
【０００４】
本発明が対象とするケーシングは、ケーシングの内室において対応する電気的及び／又は電子的な機器の機能性に必要な全電気的又は電子的な構成素子、構成部材、構成素子群及び／又は構成部材を収容する。本発明が対象とするケーシングは、つまりケーシングの内室に設けられている電気的及び／又は電子的な構成素子、構成部材、構成素子群及び／又は構成部材を備えた、機能に関して電気的又は電子的な機器である。しかし本発明が対象とするケーシングは、電気的又は電子的な機器の前記多数の部材から成る構造の意味においては、ケーシングの内室内には機能性に必要な電気的及び／又は電子的な構成素子、構成部材、構成素子群及び／又は構成部材の単に一部材だけを収容するので、機能性に関して必要不可欠な他の電気的又は電子的な構成素子、構成部材、構成素子群及び／又は構成部材は別に、可能な場合には適切なケーシング内に収納されており、また可能な場合には全く別の個所において空間的に多かれ少なかれはっきりと分離されて収納されている。
【０００５】
本発明によれば、少なくとの１つの収容部材と少なくとも１つの閉鎖部材とを備えた、電気的又は電子的な機器のためのケーシングを対象とする、ことが冒頭で述べられた。「備えた」との記載は、「から成る」という記載とは異なり、列挙して並べ立てることを問題としていない、ということを明らかにする。本発明が対象とするケーシングは、つまり一方では複数の収容部材、他方では複数の閉鎖部材を有していてよい。また１つの収容部材又は複数の収容部材の他に、及び１つの閉鎖部材又は複数の閉鎖部材の他に、更に別の機能部材が設けられていることも可能である。
【０００６】
対象となるケーシングが複数の収容部材を有していると、これらの収容部材は複数の内室を形成することができるか、又は（２つ又はそれより多い収容部材から形成されている）単に１つの内室だけを形成することができる。種々異なる形式において互いに分離されていてよいか、もしくは仕切られていてもよいか、又は完全に分離される必要があるか、もしくは仕切られる必要がある複数の内室の形成は、特に対応する電気的又は電子的な機器に基づき、またどのような電気的又は電子的な構成素子、構成部材、構成素子群及び／又は構成部材群を収容することができるか、どの程度の電圧及び電流が発生するか、ケーシング内部で著しく電気的なエネルギが熱に変換される、及び／又は対応する電気的又は電子的な機器において爆発からの防護部を設ける必要があるかにも基づくことがよくある。
【０００７】
電気的又は電子的な機器のケーシングは、当然に電気的なケーブル及び／又は線路をケーシング内に導入できる、且つ／又はケーシングから導出できるように構成する必要がある。この手段は収容部材に実現することができ、この手段はまた頻繁に起こることであるが、閉鎖部材に実現することもできる。
【０００８】
対象となるケーシングが２つ又はそれより多い閉鎖部材を有していると、閉鎖部材は機能的に異なって構成されていてよい。２つの閉鎖部材が設けられていると、２つの閉鎖部材は収容部材の内室の閉鎖という専属の機能を有することになる。この構成では収容部材の領域において、電気的なケーブル及び／又は線路の導入及び導出を実現する必要がある。２つの閉鎖部材が設けられていると、一方の閉鎖部材が収容部材の内室の閉鎖という機能だけを有することになり、第２の閉鎖部材が、一方では収容部材の内室の閉鎖という機能、他方では電気的なケーブル及び／又は線路の導入及び導出という機能の二重機能を有している。２つの閉鎖部材を有する構成では、両閉鎖部材が前記二重機能を有することもできる。２つの閉鎖部材に関して実施されたことは、２つ以上の閉鎖部材が実現されている場合には対応して当てはまる。
【０００９】
以下、閉鎖部材という概念は、閉鎖部材によって少なくとも、１つの収容部材の１つの収容部材の内室、２つの収容部材の１つの内室、又は少なくとも１つの収容部材の複数の内室が、完全に又は部分的に閉鎖されるかもしくは閉じられる場合には、常に使用したい。
【００１０】
幾何学的空間もしくは形状に関して、本発明の対象となるケーシングにおいては、収容部材と閉鎖部材とは完全に異なって構成されていてよい。幾何学的空間に関する１つの閉鎖部材もしくは複数の閉鎖部材の構成は、当然幾何学的空間に関する収容部材の構成を考慮して構成する必要がある。
【００１１】
有利には、１つの収容部材もしくは複数の収容部材は柱状に構成されている、特に円柱状に構成されている。このことは、１つの収容部材が一方側又は両側で先細りしているか、又は複数の収容部材が少なくとも一方側で先細りしている、ということを排除しない。
【００１２】
本発明の対象となるケーシングの有利な構成では、２つの収容部材が設けられている。第２の収容部材は第１の収容部材にドーム状に配置されている。
【００１３】
既述の形式の電気的又は電子的な機器のためのケーシングは、種々異なる構成において、特にＤＥ１０１２６６５４及びＰＣＴに基づくＷＯ２００４／０１７０２５において公知である。
【先行技術文献】
【特許文献】
【００１４】
【特許文献１】ＤＥ１０１２６６５４
【特許文献２】ＷＯ２００４／０１７０２５
【非特許文献】
【００１５】
【非特許文献１】ウィキペディア
【発明の概要】
【発明が解決しようとする課題】
【００１６】
対象となる形式のケーシングにおいては、１つの閉鎖部材もしくは複数の閉鎖部材と収容部材との機械的な結合がもたらされるか、もしくは複数の収容部材が設けられている場合には、複数の収容部材の相互間の機械的な結合がもたらされ、１つの閉鎖部材と１つの収容部材との結合、又は複数の閉鎖部材と複数の収容部材との結合は螺合によりもたらされる。このことは螺合には比較的時間がかかり、またネジ回しを規定されたトルクで使用しない場合には、機械的な結合はその効果においては、手動により結合を形成する者の慎重さに左右されるので、幾つかの欠点からは免れない。
【００１７】
従って本発明の目的は、電気的又は電子的な機器のためのケーシングを改良して、１つの閉鎖部材もしくは複数の閉鎖部材と、１つの収容部材もしくは複数の収容部材との機械的な結合を、特に簡単且つ良好に再現可能に行うことができるようにすることである。
【課題を解決するための手段】
【００１８】
上記目的を達成するために、本発明に係る電気的又は電子的な機器のためのケーシングは、少なくとも１つの収容部材と、該収容部材を閉鎖する少なくとも１つの閉鎖部材とを備えており、前記収容部材が該収容部材の内室に電気的及び／又は電子的な構成素子、構成部材、構成素子群及び／又は構成部材群を収容する、電気的又は電子的な機器のためのケーシングにおいて、閉鎖部材及び収容部材の間、もしくは閉鎖部材及び収容部材の間、もしくは閉鎖部材及び収容部材の間にそれぞれバヨネット式のロック部が設けられているようにした。
【００１９】
好ましくは、「特別な」バヨネット式のロック部、すなわち結合位置において常に同じギャップが設けられている、有利には常にギャップ幅ゼロのギャップが実現されているバヨネット式のロック部が実現されている。
【００２０】
好ましくは、バヨネット式のロック部は、第１のバヨネット部材において周にわたって交番的に分配された、差込み方向に対して垂直方向で平面において垂直に延在する底面と、該底面に接続する斜面と、該斜面の上側の端部に接続している、前記差込み方向に対して垂直方向で延在するヘッド面とを有している。
【００２１】
好ましくは、前記差込み方向に対して垂直方向で延在する、第１のバヨネット部材に設けられているヘッド面に対して、第２のバヨネット部材に前記差込み方向に対して垂直方向で延在する対応面が配置されている。
【００２２】
好ましくは、斜面及び接続しているヘッド面の間に係止切欠きが設けられている。
【００２３】
好ましくは、第２のバヨネット部材に、結合位置において第１のバヨネット部材の係止切欠き内に係入している係止ノーズが設けられている。
【００２４】
好ましくは、係止ノーズは係止ばねにより負荷されている。
【００２５】
好ましくは、バヨネット式のロック部の解除は、係止ばねの力に抗してもたらされる、係止切欠きからの係止ノーズの持上げによってのみ可能である。
【００２６】
好ましくは、バヨネット式のロック部の解除は、請求項８記載のケーシングを備えた機器の使用者には提供されていない特別な工具によってのみ可能である。
【００２７】
好ましくは、係止ノーズ及び／又は係止ばねに対して、少なくとも１つの電気的なコンタクト、常開接点、常閉接点又は切換え接点が配置されている。
【００２８】
また、上記目的を達成するために、本発明に係る電気的又は電子的な機器は、少なくとも２つの収容部材と該収容部材を閉鎖する少なくとも１つの閉鎖部材とを備えたケーシングを備えており、前記収容部材は該収容部材の内室において電気的又は電子的な構成素子、構成部材、構成素子群及び／又は構成部材群を収容する、電気的又は電子的な機器において、モジュール式の構成、すなわち各収容部材において独特の機能効果を有する機能ユニットが設けられているモジュール式の構成を特徴とする。
【発明の効果】
【００２９】
差し当たり本発明に係るケーシングは、１つの閉鎖部材と１つの収容部材、もしくは複数の閉鎖部材と１つの収容部材、もしくは複数の閉鎖部材と複数の収容部材との間に、少なくとも１つのバヨネット式のロック部が実現されることを特徴とする（バヨネット式のロック部についての理解のために、種々異なる文献を参照することができ、特に「ウィキペディア  フリー百科事典」を参照することもできる）。
【００３０】
一般的なバヨネット式のロック部の場合、一方の部材を他方の部材に被せる。他方の部材に被せられる一方の部材は長手方向スリットを有している。長手方向スリットの端部には、短い横方向スリットが直角に付けられる。これに対して他方の部材は、横方向スリット内に導入され、次いで不動の結合をもたらす突起部（Ｋｎｏｐｆ）を有している。つまり結合は差込み回動運動を介して行われる。結合したい２つの部材は互いに差し込まれる、つまり差込み方向に対してほぼ垂直に、２つの部材の結合個所には長手方向の凸部が設けられている。しかし凸部は周囲に延びてはおらず、中断されている（そうでなければ互いに差込み不可能である）。凸部は差込み方向に対して垂直な平面において軽く傾斜しているので、回動運動により２つの部材は互いに押し付けられる。つまりバヨネット式のロック部はネジのように作用する。
【００３１】
通常のバヨネット式のロック部に関する前記構成は、本発明に係るケーシングに関しては、すなわち２つの部材の間、有利にはつまり１つの閉鎖部材と１つの収容部材との間、もしくは複数の閉鎖部材と複数の収容部材との間に、周面にわたって均一ではないギャップが残されている、という欠点を有している。
【００３２】
従って本発明に係るケーシングの有利な構成では、「特別な」バヨネット式のロック部が実現されている。すなわち結合位置では常に同じギャップが実現されている、有利には常にギャップ幅ゼロを有するギャップが実現されている。このことは、有利には詳しくは、第１のバヨネット部材と第２のバヨネット部材とから成るバヨネット式のロック部は、第１のバヨネット部材において周面にわたって交番的に分配されて、平面で差込み方向に対して垂直方向で垂直に延在している底面と、底面に接続している斜面と、斜面の上側端部に接続し、差込み方向に対して垂直に延在しているヘッド面とを有していることにより実現されていてよい。差込み方向に対して垂直に延在している、第１のバヨネット部材におけるヘッド面に対して、第２のバヨネット部材には差込み方向に対して同様に垂直に延在している対応面が配置されている。結合位置において、第２のバヨネット部材の対応面は第１のバヨネット部材のヘッド面に当接している。つまり差込み方向に対して垂直に延在している２つの面、すなわち第２のバヨネット部材における対応面と、第１のバヨネット部材におけるヘッド面とは対応している。このことから、全周面にわたって見て、常に同じギャップ、有利にはギャップ幅ゼロを有するギャップがもたらされる。
【００３３】
上述したように、一般的なバヨネット式のロック部の場合には凸部は差込み方向に対して垂直方向の平面において軽く傾斜しているので、回動運動により２つの部材は互いに押圧される。つまりバヨネット式のロック部はネジのように機能する。この観点に基づき、ケーシングに実現されているバヨネット式のロック部が差し当たりネジのように機能するということは、本発明に係るケーシングにも当てはまる。ネジのように機能した後であって、結合位置への到達前、また遅くとも結合位置への到達時にはネジに基づく作用はもはやもたらされていない。なぜならば、すなわち第１のバヨネット部材においてもたらされているヘッド面も、第２のバヨネット部材にもたらされている対応面も、差込み方向に対して垂直方向で延在している、つまり差込み方向に対して傾斜して延在していないからである。
【００３４】
冒頭では以下のように記載した；
本発明の範囲内では、電気的又は電子的なケーシングとは、複数の部材にて機能が実現されているケーシングと理解されることが望まれ、つまり、いわば２つ又はそれより多い機能的に互いに補完し合う機器が存在し、所望の機能効率は、つまりは個々の機器との関係においてのみ望まれていることであり且つ達成され、
本発明に係るケーシングは、一方で複数の収容部材を、他方で複数の閉鎖部材を有していてもよく、
対象となるケーシングが複数の収容部材を有しており、複数の収容部材が複数の内室をもたらすことができるか、又は（２つ又はそれより多い収容部材から形成されている）単に１つの内室をもたらすこともでき、複数の内室が種々異なる形式で互いに分離もしくは仕切られていてよいか、又は分離もしくは仕切られている必要がある。
【００３５】
本発明の対象は、特に本発明により実現されるバヨネット式のロック部に関連した前記記載から独立して、電気的及び／又は電子的な構成素子、構成部材、構成素子群及び／又は構成部材群を内室に収容する少なくとも２つの収容部材と、モジュール式の構造を特徴とする、収容部材を閉鎖する少なくとも１つの閉鎖部材とを備えた電気的又は電子的な機器であり、本発明に係る電気的又は電子的な機器においては、すなわち各収容部材において独特の機能効果（Ｆｕｎｋｔｉｏｎｓｔｕｅｃｈｔｉｇｋｅｉｔ）を有する機能ユニットが設けられている。例えば機能ユニットはエネルギ供給ユニットであってよく、別の機能ユニットは測定ユニットであってよく、また更に別の機のユニットは評価ユニットであってよい。
【００３６】
詳しく言えば、本発明に係るケーシングを構成し且つ改良する種々異なる可能性がある。そのために、請求項１に従属する請求項、及び図面に基づく実施の形態の説明が参照される。
【図面の簡単な説明】
【００３７】
【図１】電気的又は電子的な機器のための本発明に係るケーシングの有利な実施の形態を示した図である。
【図２】図１記載のケーシングの分解図である。
【図３】図２記載のケーシングの上側の領域を、図２に対して拡大した図である。
【図４】本発明に係るケーシングに設けられている閉鎖部材の側面図である。
【図５】線Ａ−Ａに沿った図４記載の閉鎖部材の断面図である。
【発明を実施するための形態】
【００３８】
図１及び図２に記載されたケーシング１は、電気的又は電子的な機器又は電気的又は電子的な機器の構成要素のために用いられる。本実施の形態において記載のケーシング１には、記載されていない電気的及び／又は電子的な構成素子、構成部材、構成素子群及び／又は構成部材群を内室に収容する２つの収容部材２，３と、収容部材２，３を閉鎖する閉鎖部材４，５，６とが設けられている。
【００３９】
本発明に係るケーシング１の図１，２に記載の実施の形態では、収容部材２，３は柱状に構成されている。収容部材２，３は主軸線７，８を有している。第２の収容部材３はその主軸線８で、第１の収容部材２の主軸線７に対して垂直に配置されている。第２の収容部材３は、いわば第１の収容部材２にドーム状に設けられている。
【００４０】
図１、２に記載の本発明に係るケーシング１の実施の形態では、全部で４つの結合個所９，１０，１１，１２が収容部材２，３と閉鎖部材４，５，６との間に実現されている、すなわち結合個所９が収容部材２と閉鎖部材４との間にもたらされており、結合個所１０が収容部材２と閉鎖部材５との間にもたらされており、結合個所１１が収容部材２，３の間にもたらされており、結合個所１２が収容部材３と閉鎖部材６との間にもたらさている。このことは特に図２から明確に見て取ることができる。
【００４１】
本発明によれば、各閉鎖部材４，５，６と各収容部材２，３との間、及び収容部材２，３の間にバヨネット式のロック部１３がもたらされている。各バヨネット式のロック部１３は第１のバヨネット部材１４と第２のバヨネット部材１５とを有している。更に、通常バヨネット式のロック部がどのような形式で且つどのように実現されているかは、上記対応する構成が参照される。
【００４２】
図１，２に記載の本発明に係るケーシング１の有利な実施の形態には、「特別な」バヨネット式のロック部１３がもたらされている。すなわち、結合位置において常に同じギャップが達成されている、有利にはギャップ幅ゼロを有するギャップが達成されている。
【００４３】
記載の実施の形態においては、各バヨネット式のロック部１３は第１のバヨネット部材１４において周面にわたって交番的に分配されて、差込み方向に対して垂直方向で平面にて垂直に延在している底面１６と、底面１６に接続している斜面１７と、斜面１７の上側の端部に接続していて、差込み方向に対して垂直に延在しているヘッド面１８とを有している。差込み方向に対して垂直方向に延在している、第１のバヨネット部材１４に設けられているヘッド面１８に対して、第２のバヨネット部材１５には差込み方向に対して垂直に延在している対応面１９が配置されている。結合位置において各第２のバヨネット部材１５の各対応面１９は、第１のバヨネット部材１４の対応するヘッド面１８に当接している。つまりこの場合、差込み方向に対して垂直に延在する２つの面、すなわち第２のバヨネット部材における対応面１９と、第１のバヨネット部材におけるヘッド面１８とは対応している。このことから、全周面にわたって見て、常に同じギャップ、有利にはギャップ幅ゼロのギャップがもたらされる。
【００４４】
図面には本発明に係るケーシング１の有利な実施の形態が記載されており、各バヨネット式のロック部１３の各第１のバヨネット部材１４においては、斜面１７及び接続するヘッド面１８の間に係止切欠き２０が設けられている。係止切欠き２０に対して、各バヨネット式のロック部１３の第２のバヨネット部材１５には、結合位置で第１のバヨネット部材１４の係止切欠き２０に係合する係止ノーズ２１が配置されている。係止ノーズ２１はこの実施の形態では係止ばね２２により負荷されている。
【００４５】
図面には記載されていないが、本発明に係るケーシング１の有利な実施の形態では、１つのバヨネット式のロック部１３もしくは複数のバヨネット式のロック部１３の解除は、本発明に係るケーシング１を備えた電気的又は電子的な機器の使用者には提供されていない特別な工具によってのみ可能である。例えば本発明に係るケーシング１を備えた電気的又は電子的な機器の使用者に提供されていないこの種の工具は、係止ばね２２の力に抗して係止ノーズ２１を係止切欠き２０から持ち上げることができるような工具であってよい。
【００４６】
別の有利な実施の形態では係止ノーズ２１及び／又は係止ばね２２に対して、少なくとも１つの電気的なコンタクトが配置されていてよい、ということも最終的に記載されていない。電気的なコンタクト、常閉接点（Ｏｅｆｆｎｅｒ）、常開接点（Ｓｃｈｌｉｅｓｓｅｒ）又は切換え接点（Ｗｅｃｈｓｌｅｒ）は、全結合個所、つまり記載の実施の形態では結合個所９，１０，１１，１２に、複数のバヨネット式のロック部１３による結合が実際に完全に実現されているかどうか、報知することができる。
【００４７】
既述したように、図１，２に記載の本発明に係るケーシング１の実施の形態は、２つの収容部材２，３を有している。従って前記ケーシング１は電気的又は電子的な機器のために使用することができる。電気的又は電子的な機器はモジュラー式の構成を特徴としている。モジュラー式の構成では、すなわち２つの収容部材２，３内に各々、独特の機能効果を有する機能ユニットが設けられていてもよい。例えば１つにはエネルギ供給ユニット、もう１つには測定ユニット又は測定・評価ユニットが設けられていてよい。
【符号の説明】
【００４８】
１  ケーシング、  ２  第１の収容部材，  ３  第２の収容部材、  ４，５，６  閉鎖部材、  ７  第１の収容部材の主軸線、  ８  第２の収容部材の主軸線、  ９，１０，１１，１２  結合個所、  １３  バヨネット式のロック部、  １４，１５  バヨネット部材、  １６  底面、  １７  斜面、  １８  ヘッド面、  １９  対応面、  ２０  係止切欠き、  ２１  係止ノーズ、  ２２  係止ばね
【図１】
2010093267.tif 000003
【図２】
2010093267.tif 000004
【図３】
2010093267.tif 000005
【図４】
2010093267.tif 000006
【図５】
2010093267.tif 000007